(57)【要約】【課題】チューブポンプのロータに設けられたスライド式又は揺動式の上部カバーを廃止することによってカバー開放時の占有空間を不要とし、チューブを装着したり取外したりする際の取扱い操作を安全かつ容易に行い、さらにはポンプ内部の容易な清掃を可能とすることによって衛生管理面での利便性を確保するようにしたチューブポンプを提供する。【解決手段】ロータ５の外周複数位置の上下箇所に設けられた側幅制限ローラ３４、３４間に軟質チューブ７を収めて該チューブをローラ６、６の外周に添わせ、モータ３の駆動軸１２の外周に形成された螺旋状の案内溝１１に沿ってロータ５が固定壁１３内に案内されることにより、チューブ７が固定壁１３とローラ６、６間に狭圧され、この状態でロータ５の上部カバー１５が固定壁１３の内周を閉塞するようにした。【選択図】図６
2004068657.tif 000002
【特許請求の範囲】
【請求項１】
ポンプ本体に設けられたモータの駆動軸に連結して回転するロータの周部に複数個のローラが配設されると共に、各ローラの周軌道の外周に軟質チューブを狭圧する固定壁が設けられ、前記ロータの回転駆動によって少なくとも１個のローラがチューブを圧迫しつつ回動することにより前記チューブ内の液を移送するチューブポンプにおいて、前記ロータの外周複数位置の上下箇所に設けられた側幅制限ローラ間に軟質チューブを収めて該チューブを前記ローラの外周に添わせ、前記モータの駆動軸の外周に形成された螺旋状の案内溝に沿って前記ロータが前記固定壁内に案内されることにより、前記チューブが前記固定壁と前記ローラ間に狭圧され、この状態で前記ロータの上部カバーが前記固定壁の内周を閉塞するようにしたことを特徴とするチューブポンプ。
【請求項２】
前記ロータの中心位置に形成された円筒穴を前記モータの駆動軸に被嵌すると共に前記円筒穴の内周に突出させた係合部材を前記駆動軸の案内溝に係合した構造とすることにより、用手により又はモータ駆動によって回動した前記ロータが駆動軸の案内溝に沿って回動しつつ上方又は下方に移動するようにしたことを特徴とする請求項１記載のチューブポンプ。
【請求項３】
前記ローラの中心軸を上下から支持する上側及び下側円弧板の側方に突出した支持片の所定箇所に側幅制限ローラを回動自在に設けたことを特徴とする請求項１又は２記載のチューブポンプ。
【発明の詳細な説明】
【０００１】
【発明の属する技術分野】
本発明は、人工透析装置、血液処理装置等の体液又は補充液等を装置回路の系統内に流通する際、回転するローラで軟質チューブを圧迫することによってチューブ内の液を輸送するようにしたチューブポンプに関するものである。
【０００２】
【従来の技術】
人工透析装置、血液処理装置等の体液又は補充液を装置回路の系統内に流通する際に使用するチューブポンプの構成例としては、周状の固定壁と、その中心に設けられたモータの駆動軸に連結して回転するロータと、ロータに配設された数個のローラとから成り、液回路中のチューブを固定壁とローラとの隙間に挿入し、該ローラでチューブに対する圧閉部所を作りながら固定壁に沿って移動させることにより、チューブ内の液を輸送するものである。
【０００３】
上記のようなチューブポンプの構造においては、固定壁とローラとの間にチューブを挿着するための隙間が設けられているが、この隙間に挟まれた手の指を回転中のローラで傷つけたり、装置に構成された別回路の余裕寸法を有して延長された回路チューブをこの隙間に巻き込んで切断するという問題があった。
【０００４】
このため、従来のチューブポンプにおいては、固定壁内周とローラとの隙間の上方をスライド式又は揺動式の上部カバーで覆うことによってその隙間に対する外方からの侵入を防止するようにしたものがある。
【０００５】
ところが、チューブの挿入または取り外しを行なう際に上部カバーを開くと、上部カバーが開いた分だけ装置の前方に突出したり、横方向に移動したりするため、医療作業の邪魔になり、あるいは作業者に接触して上部カバーが破損するという問題があった。
【０００６】
また、装置の目立つ場所にポンプを配置する必要があるため、複数個のポンプを装置の前面に集中的に配置せざるを得ず、他の機能の合理的配置に悪影響を及ぼしたり、操作を困難にしたり、使用上の安全性を損ねたりするという問題があった。
【０００７】
【発明が解決しようとする課題】
本発明は、上記の事情に鑑みてなされたもので、チューブポンプのロータに設けられたスライド式又は揺動式の上部カバーを廃止することによってカバー開放時の占有空間を不要とし、チューブを装着したり取外したりする際の取扱い操作を安全かつ容易に行い、さらにはロータの構成物をポンプ本体から取り外してポンプ内部の清掃を容易にすることによって衛生管理面での利便性を確保するようにしたチューブポンプを提供することを目的とする。
【０００８】
【課題を解決するための手段】
上記の目的を達成するために、本発明における請求項１のチューブポンプは、ポンプ本体に設けられたモータの駆動軸に連結して回転するロータの周部に複数個のローラが配設されると共に、各ローラの周軌道の外周に軟質チューブを狭圧する固定壁が設けられ、前記ロータの回転駆動によって少なくとも１個のローラがチューブを圧迫しつつ回動することにより前記チューブ内の液を移送するチューブポンプにおいて、前記ロータの外周複数位置の上下箇所に設けられた側幅制限ローラ間に軟質チューブを収めて該チューブを前記ローラの外周に添わせ、前記モータの駆動軸の外周に形成された螺旋状の案内溝に沿って前記ロータが前記固定壁内に案内されることにより、前記チューブが前記固定壁と前記ローラ間に狭圧され、この状態で前記ロータの上部カバーが前記固定壁の内周を閉塞するようにしたことを特徴とする。
【０００９】
また、本発明における請求項２のチューブポンプは、請求項１において、前記ロータの中心位置に形成された円筒穴を前記モータの駆動軸に被嵌すると共に前記円筒穴の内周に突出させた係合部材を前記駆動軸の案内溝に係合した構造とすることにより、用手により又はモータ駆動によって回動した前記ロータが駆動軸の案内溝に沿って回動しつつ上方又は下方に移動するようにしたことを特徴とする。
【００１０】
さらに、本発明における請求項３のチューブポンプは、請求項１又は２において、前記ローラの中心軸を上下から支持する上側及び下側円弧板の側方に突出した支持片の所定箇所に側幅制限ローラを回動自在に設けたことを特徴とする。
【００１１】
【発明の実施の形態】
以下、本発明の実施例について図面を参照しながら説明する。
【００１２】
本発明によるチューブポンプの基本構造としては、図１又は図２に示すように、
ポンプ本体２に設けられたモータ３（図５参照）の駆動軸１２に連結して回転するロータ５の周部に複数個のローラ６、６が配設されると共に、各ローラ６、６の周軌道の外周に軟質チューブ７を狭圧する固定壁１３が設けられ、ロータ５の回転駆動で少なくとも１個のローラ６、６がチューブ７を圧迫しつつ回動することによってチューブ７内の液を移送するようにしたものである。
【００１３】
このような構造についてより詳細に述べると、図１に示すように、ロータ５はポンプ本体２とは別体に構成され、後述するようにポンプ本体２の駆動軸１２から取り外すことができる構造としてある。
【００１４】
ポンプ本体２は、図５に示すように、その底板９の下部にモータ３を固定してあり、底板９の円筒穴１０から上方に突出されたモータ軸４には駆動軸１２が固定され、該駆動軸１２の外周には螺旋状の案内溝１１が形成されている。
【００１５】
また、ポンプ本体２の底板９には、駆動軸１２から所定距離をあけた外周に沿って所定高さの固定壁１３が形成されている。この固定壁１３の上端内周には傾斜状の当たり面１４が形成され、図６に示すように、後述するロータ５側の上部カバー１５の外周端部に設けられたゴムリング１６を当たり面１４に当接させる構造とすることによって、固定壁１３とローラ６、６間の隙間を閉塞し、この隙間に指先や他の回路チューブ等が入らない安全構造としている。
【００１６】
また、図１（図４参照）に示すように、ポンプ本体２には周状の固定壁１３から平行に延長する通路１７、１７が形成され、両側の通路１７、１７の各端部に形成された凹部１８、１８にチューブ７の固定端１９、１９を嵌め込むようにしている。
【００１７】
ロータ５は、図５又は図６に示すように、ロータ本体８とその上部にて水平外周に延びた延長部２０と中心上方に突出された凸部２１とを有し、凸部２１の外周に大径の用手抓み２２の円筒穴２３を嵌合すると共に、用手抓み２２の横穴２４から挿入した固定ネジ２５の先端をロータ本体８の凸部２１の周溝２１ａに捻じ込んで係止することにより、用手抓み２２をロータ本体８に固定している。この用手抓み２２の上端中心には文字盤２６が付設され、該文字盤２６にはロータ５の回転方向等の案内（図４（ａ）参照）が表示されている。
【００１８】
さらに、図５に示すように、用手抓み２２の下面周部には段状凹部２７が形成され、該段状凹部２７と同径に、ロータ本体８の延長部２０の外周上部に段状凹部２８が形成され、これらの段状凹部２７、２８とを合致させてなる外周溝２９の奥部には弾性ゴムリング３２を嵌合した小径溝３０が形成されている。
【００１９】
また、この外周溝２９には上部カバー１５の大径の中心穴１５ａが嵌合されている。この上部カバー１５は透明プラスチックにより形成され、その外周を傘状に下げた形状とし、外周溝２９には波状に屈曲されて成るリング状板バネ３１が嵌められ、この板バネ３１の弾性によって上部カバー１５が上方に付勢された状態に取り付けられている。ただし、上部カバー１５の中心穴１５ａの内周付近には滑動用オイルが塗布され、上部カバー１５は板バネ３１で上方へ付勢された状態で外周溝２９内を自在に摺動することができる。
【００２０】
さらに、本発明においては、図１又は図３に示すように、ロータ本体８の上下に左右に配分された上側円弧板３５、３５と下側円弧板３６、３６とを軸８ａ、８ａ…で結合すると共に、左右の上側円弧板３５、３５と下側円弧板３６、３６との間にローラ６、６を軸６ａ、６ａで回動自在に結合している。
【００２１】
また、左右に配分した上側円弧板３５、３５と下側円弧板３６、３６との夫々から四方に突出した支持片３３、３３…に側幅制限ローラ３４、３４…が回動自在に設けられている。図３に示すように、各支持片３３、３３…は端部の幅がやや拡大された形状を有するため、各支持片３３、３３…に嵌め込んだ環状の側幅制限ローラ３４、３４…の離脱を防止した状態で回動自在としている。
【００２２】
さらに、図５に示すように、ロータ本体８の中心には円筒穴２３が形成され、該円筒穴２３をモータ３の駆動軸１２に被嵌すると共に、ロータ本体８の外周からネジ穴３７に螺入したネジ部材３８の先端を円筒穴２３内に突出させてあり、このネジ部材３８を駆動軸１２の螺旋溝１１に係合するようにしている。
【００２３】
なお、本実施例においては駆動軸１２の螺旋溝１１に係合する係合部材としてネジ部材３８を用いているが、他の部材として円筒穴２３内に球状の突出部を形成してもよい。このような構成によって、用手抓み２２を手で握ってロータ５をモータ３の逆転方向に用手で回動すると、駆動軸１２の螺旋溝１１に従って上方に移動することにより、ロータ５は駆動軸１２から離脱する。
【００２４】
また、ロータ５をモータ３の正転方向に用手で回動すると、図６に示すように、ロータ５は駆動軸１２の螺旋溝１１の下端部に当接するまで回動し、ポンプ本体２へのセット状態となる。このとき、軟質チューブ７はロータ８の上部カバー１５に閉塞された状態にあり、上下の側幅制限ローラ３４、３４間におけるローラ６、６の外周にて固定壁１３との間で狭圧される。そして、モータ３の駆動によってロータ５が回転すると、少なくとも１個のローラ６がチューブ７を圧迫しつつ回動することによってチューブ７内の液を移送する。
【００２５】
本発明のチューブポンプは、上記のように構成されているため、図１に示すように、チューブを取り外した状態にして、ロータ５を駆動軸１２から用手で引き出して取り外すことができ、この状態で、ポンプ本体２の内部やロータ５を目視下で清掃したり、消毒材の塗布処理等を行うことができる。また、消耗品の管理や交換等のメンテナンスも容易に行うことができ、近年において要求されている治療装置の徹底した衛生管理に適するものである。
【００２６】
また、図２に示すように、ロータ５を駆動軸１２から上方に移動した状態にして、軟質チューブ７をロータ８の上部カバー１５の下部外周、即ち上下の側幅制限ローラ３４、３４間におけるローラ６、６の外周に廻して通路１７、１７に収納すると共に、チューブ７の両側の固定端１９、１９を凹部１８、１８に嵌め込む。
【００２７】
そして、ロータ５を用手で回動しながら駆動軸１２の螺旋溝１１に沿って押し下げると、軟質チューブ７が固定壁１３とローラ６、６間に狭圧された状態にセットされる。このセット状態でロータ５の上部カバー１５が固定壁１３の内周を閉塞するため、固定壁１３とローラ６、６間に指を突っ込んだり、他のチューブを絡ませたりすることから防止できる。
【００２８】
また、上記のように軟質チューブ７を固定壁１３とローラ６、６との隙間に挿入した状態でモータ３を駆動すると、夫々のローラ６、６で軟質チューブ７に対する圧閉部所を作りながら固定壁１３に沿って移動することにより、チューブ７内の液を輸送することができる。また、モータ３の回転速度を変えることによって血液の移送量を調整することができる。
【００２９】
【発明の効果】
以上説明したように、本発明のチューブポンプによれば、ロータの外周に設けられた側幅制限ローラ間に軟質チューブを収め、該チューブをローラの外周に添わせた状態にして、ロータを駆動軸の案内溝に沿って用手で下方へ回動すると、軟質チューブを固定壁とローラ間に狭圧しつつ固定壁内に収めることができる。
【００３０】
この状態で、ロータの上部カバーが固定壁の内周を閉塞した状態とすることにより、固定壁とローラ間に指を突っ込んだり、他のチューブを絡ませたりすることがなく、操作上の安全性を確保すると共に、軟質チューブを装着したり取外したりする作業を容易且つ確実に遂行することができ、装置の臨床使用にすばやく対応することができる。
【００３１】
また、本発明によるチューブポンプのロータには、横スライドしたり開閉したりするカバーが設けられていないため、従来のようにカバーが開いて装置から突出したり、カバーが破損したりすることがない。また、カバー開放時の占有空間を不要とするため、チューブポンプの合理的配置と操作上の容易さとを達成することが可能となる。
【００３２】
さらに、ポンプ本体からロータを用手で簡単に取り外すことができるため、ポンプ内部の清掃が容易になり、消毒材の塗布処理等を行ったり、消耗品の管理や交換等のメンテナンスも容易に行うことができ、近年要求されている治療装置の衛生管理面での利便性を確保することが可能となる。
【図面の簡単な説明】
【図１】本発明によるチューブポンプの分解斜視図である。
【図２】本発明によるチューブポンプの組立て途中の斜視図である。
【図３】本発明によるチューブポンプの平面図である。
【図４】（ａ）は本発明によるチューブポンプのロータを示す平面図であり、（ｂ）は側面図である。
【図５】本発明によるチューブポンプの組立て途中の断面図である。
【図６】本発明によるチューブポンプの組立て状態を示す断面図である。
【符号の説明】
２…ポンプ本体
３…モータ
４…モータ軸
５…ロータ
６…ローラ
７…軟質チューブ
８…ロータ本体
９…底板
１０…円筒穴
１１…案内溝
１２…駆動軸
１３…固定壁
１４…当たり面
１５…上部カバー
１６…ゴムリング
１７…通路
１８…凹部
１９…固定端
２０…延長部
２１…凸部
２２…用手抓み
２３…円筒穴
２４…横穴
２５…固定ネジ
２６…文字盤
２７、２８…段状凹部
２９…外周溝
３０…小径溝
３１…リング状板バネ
３２…弾性ゴムリング
３３…支持片
３４…側幅制限ローラ
３５…上側円弧板
３６…下側円弧板
３７…ネジ穴
３８…ネジ部材
【図１】
2004068657.tif 000003
【図２】
2004068657.tif 000004
【図３】
2004068657.tif 000005
【図４】
2004068657.tif 000006
【図５】
2004068657.tif 000007
【図６】
2004068657.tif 000008